(57)【要約】【課題】フロントキャビネットのスピーカー取付部分の肉厚化による外観不良の問題を解消でき、スピーカーを確実に支持して安定良く取付けることができるスピーカーの取付構造を提供する。【解決手段】スピーカー２の長円形開口縁２ａの直状下縁２ｃを、フロントキャビネット１の下端の底板部１ａから後方に向かって突設された多数のスリット１ｂを有する略水平な受片１ｃで支持させ、長円形開口縁の左右の半円弧状縁２ｂの上半分をキャビネット１の下部裏側に設けた左右の四半円弧状支持部１ｇで支持させ、スピーカー２の背面カバー体２ｄの上側面２ｅをキャビネット１の前板下部の裏面に設けられた横リブ１ｈで支持させて、スピーカー２を前方斜め下向きの姿勢でフロントキャビネット１の下部の裏側に取付けたスピーカーの取付構造とする。フロントキャビネット１に肉厚部がないので外観不良を生じない。【選択図】図１
2011019170.tif 000002
【特許請求の範囲】
【請求項１】
スピーカーの長円形開口縁の直状下縁を、フロントキャビネットの下端の底板部から後方に向かって突設された多数のスリットを有する略水平な受片で支持させると共に、上記長円形開口縁の左右の半円弧状縁の上半分を、フロントキャビネットの下部の裏側に設けた左右の四半円弧状支持部で支持させ、スピーカーの背面カバー体の上側面を、フロントキャビネットの前板下部の裏面に設けられた横リブで支持させて、スピーカーを前方斜め下向きの姿勢でフロントキャビネットの下部の裏側に取付けたことを特徴とするスピーカーの取付構造。
【請求項２】
上記左右の四半円弧状支持部は、上記受片の左右両端部からフロントキャビネットの前板下部に至る上辺が傾斜した左右の側壁部の途中から、フロントキャビネットの前板下部に向かって左右の側壁部の上辺と同じ傾斜角及び同じ高さとなるように突き出して左右の側壁部の内側に形成されており、
上記横リブは、フロントキャビネットの前板下部の裏面において左側の上記四半円弧状支持部の先端の少し上側位置から右側の上記四半円弧状支持部の先端の少し上側位置まで形成されている、
ことを特徴とする請求項１に記載のスピーカーの取付構造。
【請求項３】
上記横リブの下面に、スピーカーの背面カバー体の上側面を支持する左右一対の小縦リブが形成されていることを特徴とする請求項１又は請求項２に記載のスピーカーの取付構造。
【発明の詳細な説明】
【技術分野】
【０００１】
本発明はスピーカーの取付構造に関し、更に詳しくは、スピーカーレスデザインの液晶テレビなどにおいて、底面の傾斜角度が大きいフロントキャビネットの下部の裏側にスピーカーを取付けるような場合に好適に採用されるスピーカーの取付構造に関する。
【背景技術】
【０００２】
近年の液晶テレビは、フロント面にスピーカーが見えない、所謂、スピーカーレスデザインのものが主流となってきている。このようなスピーカーレスデザインの液晶テレビの一つとして、図４（従来の液晶テレビのフロントキャビネットの部分底面図）に示すように、フロントキャビネット１００の下端の底板部１０１から後方に支持片１０２を突設すると共に、支持片１０２と底板部１０１に放音用の多数のスリット１０３を横二列に並べて形成し、このスリット１０３が形成された底板部１０１から支持片１０２に至る長円形部分１０４の緩やかに傾斜した上面に、スピーカーの長円形開口縁の矢紙を当ててスピーカーを前方斜め下向きの姿勢で取付けたものが知られている。
【０００３】
また、前キャビネットの前板下部の裏面に形成された第一及び第二の放音孔を有する取付座にスピーカーをネジ止めした表示装置（特許文献１）や、フロントケースとリアケースの側部の裏面に開放箱形をなす音漏れ防止リブを形成し、該リブによって形成される密閉空間にスピーカーを配置して取付けた液晶テレビ（特許文献２）や、バックキャビネットにスピーカー取付部を形成し、スピーカーをホルダーを介してスピーカー取付部に取付けた表示装置（特許文献３）なども知られている。
【先行技術文献】
【特許文献】
【０００４】
【特許文献１】特開２００８−８５６６１号公報
【特許文献２】特開２００８−１８２４９７号公報
【特許文献３】特許第４１９９２９２号公報
【発明の概要】
【発明が解決しようとする課題】
【０００５】
しかしながら、最近のスピーカーレスデザインの液晶テレビは、フロントキャビネット１００の底板部１０１の傾斜角が大きくなってきたため、前記のようにスリット１０３を底板部１０１と支持片１０２に形成すると、正面から液晶テレビを見たときに底板部１０１のスリット１０３がよく見え、スピーカーの存在が分かってしまうという問題が出てきた。
【０００６】
斯かる問題は、フロントキャビネット１００の底板部１０１にスリット１０３を形成しないことにすれば、一応解決することは可能である。けれども、底板部１０１にスリット１０３を形成しないで、底板部１０１から支持片１０２にかけてスピーカーの矢紙を当てる緩やかな斜面を設けてスピーカーを取付ける場合は、フロントキャビネット１００の成形時の型抜きの関係上、斜面部分の肉厚が大きくなり、成形が悪くなって外観不良になりやすいという新たな問題が生じるようになる。
【０００７】
一方、前記特許文献１〜３の液晶テレビや表示装置はスピーカーレスデザインを意図したものではないため、これらの特許文献１〜３に開示されたスピーカー取付技術を従来のスピーカーレスデザインの液晶テレビに適用しても、上記の問題を解決することはできない。
【０００８】
本発明は上記事情の下になされたもので、その解決しようとする課題は、フロントキャビネットのスピーカー取付部分の肉厚化による外観不良の問題を解消することができ、しかも、スピーカーを確実に支持して安定良く取付けることができるスピーカーの取付構造を提供することにある。
【課題を解決するための手段】
【０００９】
上記課題を解決するため、本発明に係るスピーカーの取付構造は、スピーカーの長円形開口縁の直状下縁を、フロントキャビネットの下端の底板部から後方に向かって突設された多数のスリットを有する略水平な受片で支持させると共に、上記長円形開口縁の左右の半円弧状縁の上半分を、フロントキャビネットの下部の裏側に設けた左右の四半円弧状支持部で支持させ、スピーカーの背面カバー体の上側面を、フロントキャビネットの前板下部の裏面に設けられた横リブで支持させて、スピーカーを前方斜め下向きの姿勢でフロントキャビネットの下部の裏側に取付けたことを特徴とするものである。
【００１０】
本発明に係るスピーカーの取付構造では、上記左右の四半円弧状支持部が、上記受片の左右両端部からフロントキャビネットの前板下部に至る上辺が傾斜した左右の側壁部の途中から、フロントキャビネットの前板下部に向かって左右の側壁部の上辺と同じ傾斜角及び同じ高さとなるように突き出して左右の側壁部の内側に形成されており、上記横リブが、フロントキャビネットの前板下部の裏面において左側の上記四半円弧状支持部の先端の少し上側位置から右側の上記四半円弧状支持部の先端の少し上側位置まで形成されていることが好ましい。
【００１１】
また、上記横リブの下面には、スピーカーの背面カバー体の上側面を支持する左右一対の小縦リブが形成されていることが好ましい。
【発明の効果】
【００１２】
本発明のスピーカーの取付構造は、従来のようにフロントキャビネット下部のスピーカー取付部分にスピーカーの長円形開口縁の矢紙を押し当てる傾斜面を設けることなく、フロントキャビネットの底板部から後方へ突き出す受片と、フロントキャビネット下部裏側の左右の四半円弧状支持部と、フロントキャビネットの前板下部裏面の横リブを設け、上記受片によってスピーカーの長円形開口縁の直状下縁を支持させ、上記左右の四半円弧状支持部によって上記長円形開口縁の左右の半円弧状縁の上半分を支持させ、上記横リブによってスピーカーの背面カバー体の上側面を支持させて、スピーカーを前方斜め下向きの姿勢でフロントキャビネットの下部裏側に取付けているため、フロントキャビネットの底板部にスリットがないにも拘わらず、フロントキャビネットのスピーカー取付部分を肉厚化させないで成形できるようになり、肉厚化による外観不良の問題を解決することが可能となる。しかも、上記の受片と、左右の四半円弧状支持部と、横リブによって、スピーカーの長円形開口縁の直状下縁と、左右の半円弧状縁の上半分と、スピーカーの背面カバー体の上側面を支持させると、スピーカーの支持固定が確実となり、安定良く取付けることができる。
【００１３】
特に、左右の四半円弧状支持部が、受片の左右両端部からフロントキャビネットの前板下部に至る上辺が傾斜した左右の側壁部の途中から、フロントキャビネットの前板下部に向かって左右の側壁部の上辺と同じ傾斜角及び同じ高さとなるように突き出して左右の側壁部の内側に形成されていると、スピーカーの長円形開口縁の左右の半円弧状縁の上半分が左右の四半円弧状支持部に密着して、スピーカーが左右の側壁部の上辺と同じ傾斜角で安定良く取付けられ、左右の側壁部によって音漏れも防止することができる。
【００１４】
そして、横リブが、フロントキャビネットの前板下部の裏面において左側の上記四半円弧状支持部の先端の少し上側位置から右側の上記四半円弧状支持部の先端の少し上側位置まで形成されていると、スピーカーの背面カバー体の上側面がほぼ全長に亘って横リブで均等に支持され、更に、横リブの下面にスピーカーの背面カバー体の上側面を支持する左右一対の小縦リブが形成されていると、該小縦リブによってスピーカーの支持安定性が一層向上する利点がある。
【図面の簡単な説明】
【００１５】
【図１】本発明の一実施形態に係るスピーカーの取付構造を示す分解斜視図である。
【図２】同スピーカーの取付構造を示す平面図である。
【図３】図２のＡ−Ａ線断面図である。
【図４】従来のスピーカーレスデザインの液晶テレビのフロントキャビネットを示す部分底面図である。
【発明を実施するための形態】
【００１６】
図１〜図３に示すスピーカーの取付構造は、スピーカーレスデザインの液晶テレビのフロントキャビネット１の下部裏側にスピーカー２を取付ける場合の構造を例示したものであって、合成樹脂で射出成形されたフロントキャビネット１の下端の底板部１ａは、５°以上、好ましくは１０°〜２０°の傾斜角で斜め前上がりに傾斜して形成されている。従って、この底板部１ａに放音用のスリットが形成されていると、フロントキャビネット１を正面から見たときスリットがよく見え、スピーカー２の存在がまる分かりになるが、このスピーカーの取付構造においては、フロントキャビネット１の底板部１ａにスリットを形成していないので、正面から見てもスピーカーの存在が分かることはない。
【００１７】
フロントキャビネット１の下部裏側のスピーカー取付箇所においては、長方形の平面形状を有する受片１ｃが底板部１ａから後方に向かってほぼ水平に突設されており、この受片１ｃには多数の放音用のスリット１ｂが横一列に並んで形成されている。この受片１ｃは底板部１ａと実質的に同じ厚さに成形されており、その裏面には複数（４つ）の補強リブ１ｄが形成されている。尚、この受片１ｃに形成されたスリット１ｂは、フロントキャビネット１を正面から眺めても、見えることはない。
【００１８】
受片１ｃの左右両端部には左右の側壁部１ｆ，１ｆが立設されており、これらの側壁部１ｆ，１ｆはフロントキャビネット１の前板下部１ｅに至るまで形成されている。そして、これらの側壁部１ｆ，１ｆの上辺は、スピーカー２の取付角度に等しい傾斜角θ（図３参照）で斜め前上がりに傾斜している。これらの側壁部１ｆ，１ｆは、後述するように、スピーカー２の左右両端の取付具２ｆ，２ｆの傾斜片２ｇ，２ｇを支える支持壁の役目と、スピーカー２の左右に音が漏れないようにする音漏れ防止壁の役目を果たすものである。
【００１９】
また、これらの側壁部１ｆ，１ｆの途中からは、左右の四半円弧状支持部１ｇ，１ｇがフロントキャビネット１の前板下部１ｅに向かって左右の側壁部１ｆ，１ｆの上辺と同じ傾斜角θ及び同じ高さとなるように突き出して該側壁部１ｆ，１ｆの内側に形成されている。これらの四半円弧状支持部１ｇ，１ｇは、後述するように、スピーカー２の長円形開口縁２ａの左右の半円弧状縁２ｂ，２ｂの上半分を支持するもので、四半円弧状支持部１ｇ，１ｇの曲率半径は半円弧状縁２ｂ，２ｂの曲率半径と同一に設定されている。
【００２０】
更に、フロントキャビネット１の前板下部１ｅの裏面には横リブ１ｈが形成されている。この横リブ１ｈは、後述するように、スピーカー２の背面カバー体２ｄの上側面２ｅを支持するもので、左側の四半円弧状支持部１ｇの先端の少し上側位置から右側の四半円弧状支持部１ｇの先端の少し上側位置まで形成されており、この横リブ１ｈの下面には、スピーカー２の背面カバー体２ｄの上側面２ｅを支持する左右一対の小縦リブ１ｉ，１ｉが、また、この横リブ１ｈの上面には複数の小さい補強リブ１ｊが、それぞれ形成されている。
【００２１】
フロントキャビネット１の前板下部１ｅの前記側壁部１ｆ，１ｆより外側の箇所には、左右一対の縦リブ１ｋ，１ｋが形成されており、それぞれの縦リブ１ｋには、スピーカー２の取付具２ｆ，２ｆをネジ止めするためのネジ孔１ｍが２つずつ形成されている。
【００２２】
一方、スピーカー２は長円形の開口を有する横長のスピーカーであって、その金属製の背面カバー体２ｄの左右両端には取付具２ｆ，２ｆが固着されている。この取付具２ｆは、三角片２ｈの内側に前記側壁部１ｆの上辺の傾斜角θと同じ角度で傾斜する傾斜片２ｇを一体形成すると共に、三角片２ｈの外側に垂直片２ｉを一体形成し、この垂直片２ｉに２つのネジ挿通孔２ｊ，２ｊを穿孔したものである。
【００２３】
このスピーカー２の取付けは、左右の取付具２ｆ，２ｆの傾斜片２ｇ，２ｇをフロントキャビネット１の左右の側壁部１ｆ，１ｆに重ね、スピーカー２の長円形開口縁２ａの直状下縁２ｃと左右の半円弧状縁２ｂ，２ｂの上半分を、フロントキャビネット１の受片１ｃと四半円弧状支持部１ｇ，１ｇに載置すると共に、スピーカー２の背面カバー体２ｄの上側面２ｅをフロントキャビネット１の横リブ１ｈと小縦リブ１ｉ，１ｉに押し当て、スピーカー２を傾斜角θで前方斜め下向きの姿勢にしたまま、取付具２ｆ，２ｆのそれぞれのネジ挿通孔２ｉからネジ３をフロントキャビネット１のそれぞれのネジ孔１ｍにねじ込むことによって行われる。
【００２４】
上記のようにスピーカー２をフロントキャビネット１の下部裏側に取付けると、スピーカー２の長円形開口縁２ａの直状下縁２ｃの矢紙がフロントキャビネット１の受片１ｃによって下方から支持され、スピーカー２の左右の半円弧状縁２ｂ，２ｂの上半分の矢紙がフロントキャビネット１の左右の四半円弧状支持部１ｇ，１ｇに密着して該四半円弧状支持部１ｇ，１ｇによって下方から支持され、スピーカー２の背面カバー体２ｄの上側面２ｅがフロントキャビネット１の横リブ１ｈと小縦リブ１ｉ，１ｉによって前方から支持されて、スピーカー２が安定良く確実に固定されることになる。そして、リアキャビネット４をフロントキャビネット２にネジ止めすると、フロントキャビネット１の受片１ｃがリアキャビネット４に引き込まれて上方に若干撓み、スピーカー２の長円形開口縁２ａの直状下縁２ｃの矢紙が受片１ｃの上面に密着して強固に支持されるため、支持安定性が更に向上すると共に、スピーカー２の後方への音漏れが防止されることになり、また、スピーカー２の左右への音漏れは、フロントキャビネット１の左右の側壁部１ｆ，１ｆによって防止されることになる。
【００２５】
本発明のスピーカーの取付構造は、従来のようにフロントキャビネット下部のスピーカー取付部分にスピーカーの長円形開口縁の矢紙を押し当てる傾斜面を設けることなく、フロントキャビネットのスピーカー取付箇所に、受片１ｃと、左右の四半円弧状支持部１ｇ，１ｇ及び側壁部１ｆ１ｆと、横リブ１ｈ及び小縦リブ１ｉ，１ｉを設け、これらにスピーカー２を支持させて取付ける構造としたため、フロントキャビネット１の底板部１ａにスリットがないにも拘わらず、フロントキャビネット１のスピーカー取付部分を肉厚化させないでフロントキャビネット１を成形できるようになり、従来の肉厚化に起因する外観不良の問題を解決することができる。そして、スピーカー２を確実に安定良く支持させてしっかりと取付けることができ、音漏れをなくすこともできる。
【産業上の利用可能性】
【００２６】
本発明のスピーカーの取付構造は、フロントキャビネットの底板部の傾斜角が５°以上で、底板部に放音用のスリットを形成することができないスピーカーレスデザインの液晶テレビや表示装置などに好適に採用することができる。
【符号の説明】
【００２７】
１    フロントキャビネット
１ａ  底板部
１ｂ  スリット
１ｃ  受片
１ｅ  前板下部
１ｆ  側壁部
１ｇ  四半円弧状支持部
１ｈ  横リブ
１ｉ  小縦リブ
２    スピーカー
２ａ  長円形開口縁
２ｂ  半円弧状縁
２ｃ  直状下縁
２ｄ  背面カバー体
２ｅ  上側面
３    
４    
５    
【図１】
2011019170.tif 000003
【図２】
2011019170.tif 000004
【図３】
2011019170.tif 000005
【図４】
2011019170.tif 000006